(57)【要約】【課題】竪樋を家屋に取付ける工程数を少なくできる、竪樋の取付け構造を提供する。【解決手段】竪樋２と、竪樋２を家屋３に固定するために用いられる控具１と、を備える竪樋２の取付け構造である。控具１は、家屋３に固定される基部１２と、基部１２の竪樋２側に設けられる係止部１１と、を有する。竪樋２は、竪樋本体２１と、竪樋本体２１の家屋３側に設けられる被係止部２２と、を有する。係止部１１は、被係止部２２と係止する係止爪１１ａと、係止爪１１ａと連結され被係止部２２により押圧される被押圧部１１ｂと、を有する。被係止部２２は、被押圧部１１ｂを押圧する押圧部２２ａと、係止爪１１ａが係止される被係止爪２２ｂと、を有する。被押圧部１１ｂが押圧部２２ａにより竪樋２から家屋３に向かう方向に押圧されると、係止爪１１ａが控具１の中心方向へ回動し、係止爪１１ａと被係止爪２２ｂとが係止して成る。【選択図】図１
2014198957.tif 000002
【特許請求の範囲】
【請求項１】
竪樋と、前記竪樋を家屋に固定するために用いられる控具と、を備える竪樋の取付け構造であって、
前記控具は、前記家屋に固定される基部と、前記基部の前記竪樋側に設けられる係止部と、を有し、
前記竪樋は、竪樋本体と、前記竪樋本体の前記家屋側に設けられる被係止部と、を有し、
前記係止部は、前記被係止部と係止する係止爪と、前記係止爪と連結され前記被係止部により押圧される被押圧部と、を有し、
前記被係止部は、前記被押圧部を押圧する押圧部と、前記係止爪が係止される被係止爪と、を有し、
前記被押圧部が前記押圧部により竪樋から家屋に向かう方向に押圧されると、前記係止爪が前記控具の中心方向へ回動し、前記係止爪と前記被係止爪とが係止して成ることを特徴とする竪樋の取付け構造。
【発明の詳細な説明】
【技術分野】
【０００１】
本発明は、竪樋の取付け構造に関するものである。
【背景技術】
【０００２】
従来から、竪樋の家屋側に控具を取付けるための被係止部が設けられ、控具と被係止部とが係止され、竪樋が家屋に固定されることが知られている（例えば特許文献１参照）。
【先行技術文献】
【特許文献】
【０００３】
【特許文献１】特開平７−２７９３３３号公報
【発明の概要】
【発明が解決しようとする課題】
【０００４】
特許文献１に記載されている発明では、家屋に竪樋が固定されるには、まず、被係止部に設けられている係止溝に控具の竪樋係止片を挿入し、控具と被係止部とを固定する。次に、家屋に固定具が打ち込まれて固定された台座の係止孔に、控具の台座係止片が挿入される。これにより、家屋に竪樋が固定されていた。
【０００５】
しかし、上記した工程を経て家屋に竪樋が固定されていたのでは、控具がまず竪樋に設けられている被係止部に固定され、次に控具が家屋に固定されている台座に固定されなければならず、工程数が多く煩わしいものであった。
【０００６】
本発明は上記従来の問題点に鑑みて発明したものであって、その目的とするところは、竪樋が家屋に取付けられる工程数を少なくできる、竪樋の取付け構造を提供することを課題とするものである。
【課題を解決するための手段】
【０００７】
上記課題を解決するために、本発明は、以下のような構成とする。
【０００８】
竪樋と、前記竪樋を家屋に固定するために用いられる控具と、を備える竪樋の取付け構造であって、前記控具は、前記家屋に固定される基部と、前記基部の前記竪樋側に設けられる係止部と、を有し、前記竪樋は、竪樋本体と、前記竪樋本体の前記家屋側に設けられる被係止部と、を有し、前記係止部は、前記被係止部と係止する係止爪と、前記係止爪と連結され前記被係止部により押圧される被押圧部と、を有し、前記被係止部は、前記被押圧部を押圧する押圧部と、前記係止爪が係止される被係止爪と、を有し、前記被押圧部が前記押圧部により竪樋から家屋に向かう方向に押圧されると、前記係止爪が前記控具の中心方向へ回動し、前記係止爪と前記被係止爪とが係止して成ることを特徴とする。
【発明の効果】
【０００９】
本発明の竪樋の取付け構造は、竪樋が家屋に取付けられる工程数を少なくできる。
【図面の簡単な説明】
【００１０】
【図１】（ａ）は、本発明の竪樋と控具とを示す平面視断面図であり、（ｂ）は、本発明の竪樋の押圧部と控具の被押圧部とが当接した平面視断面図であり、（ｃ）は、本発明の竪樋と控具とが係止され、家屋に竪樋が取付けられた平面視断面図である。
【図２】本発明の竪樋と複数の控具を示した側面図である。
【発明を実施するための形態】
【００１１】
以下、本発明を添付図面に示す実施形態に基づいて説明する。
【００１２】
竪樋２の取付け構造は、竪樋２と、竪樋２を家屋３に固定するために用いられる控具１と、から構成されている。
【００１３】
控具１は、釘や螺子といった固定具４により、家屋３に固定される。本実施形態では、控具１は、係止部１１と、基部１２と、を有している。
【００１４】
係止部１１は、基部１２の竪樋２側に設けられる。また、係止部１１は図１に示すように、本実施形態では、基部１２に設けられる回動軸１２ａに回動自在に取付けられる。本実施形態では、係止部１１は二本設けられるが、数は特に限定されない。係止部１１は、係止爪１１ａと、被押圧部１１ｂと、を有している。
【００１５】
本実施形態では、係止爪１１ａは平面視略Ｌ字状となっているが、形状は特に限定されない。係止爪１１ａの先端は控具１が竪樋２に取付けられた状態で、控具１の中心方向に突出している。係止爪１１ａの基端には、係止部１１が回動軸１２ａに回動自在に取付けられる軸孔が設けられている。
【００１６】
被押圧部１１ｂは、本実施形態では、係止爪１１ａの軸孔側端部から係止爪１１ａに対して略垂直に突出している。被押圧部１１ｂは、後に詳述する竪樋２の押圧部２２ａにより押圧される部分である。
【００１７】
基部１２は、図１に示すように、本実施形態では平面視矩形状となっているが、その形状は特に限定されない。基部１２は、図２に示すように、控具１を家屋３に固定するための固定具４が挿通される挿通孔１２ｃが設けられている。基部１２は、図２に示すように、基部１２の竪樋２側の上下方向の中間部が家屋３方向に凹む固定溝１２ｂを有している。基部１２は、係止部１１が回動自在に取付けられる回動軸１２ａを有している。回動軸１２ａは、図１に示すように、固定溝１２ｂを竪樋２から家屋３に向かう方向から視たときの左右方向の両端部に設けられる。
【００１８】
回動軸１２ａには、上述した係止部１１が回動自在に取付けられる。回動軸１２ａは、本実施形態では、固定溝１２ｂに二個設けられる。回動軸１２ａは、本実施形態では円柱となっているが、特に限定されない。回動軸１２ａと固定溝１２ｂの上下方向の高さは略等しい。回動軸１２ａは基部１２と一体に設けられてもよいし、別体で設けられてもよい。
【００１９】
挿通孔１２ｃは、固定溝１２ｂの奥面の左右方向の中心に設けられ、控具１を家屋３に固定するための固定具４が挿通される孔となっている。挿通孔１２ｃの竪樋から家屋へ向かう方向の長さは、固定溝１２ｂの奥面から基部１２の家屋３側側面までとなっている。
【００２０】
竪樋２は、竪樋本体２１と、被係止部２２と、を有している。
【００２１】
竪樋本体２１は、内部が空洞であり、空洞に屋根から軒樋に流れ落ち集水器に集められた水が流れ落ちる。図１に示すように、竪樋本体２１は平面視円形となっているが、平面視矩形状でもよく、その形状は特に限定されない。竪樋本体２１の材質は、塩化ビニル、ステンレス、鉄、銅、等となっており、材質は特に限定されない。
【００２２】
被係止部２２は、図２に示すように、竪樋本体２１の家屋３側の部分の上下方向の略全長に亘って設けられる。被係止部２２は、竪樋本体２１の材質と同じであるのが好ましく、その材質は特に限定されない。被係止部２２は、竪樋本体２１と押出成形により一体に設けられてもよい。また、被係止部２２は、竪樋本体２１と別体で設けられ接着剤や溶着などで接合されてもよい。被係止部２２は、押圧部２２ａと、被係止爪２２ｂと、を有する。
【００２３】
押圧部２２ａは、図１に示すように、竪樋２から家屋３に向かう方向に竪樋本体２１の家屋３側の部分から突設される。本実施形態では、図１に示すように、押圧部２２ａは平面視Ｔ字状をしているが、その形状は限定されない。押圧部２２ａは、被押圧部１１ｂを竪樋２から家屋３に向かう方向に押圧する。
【００２４】
被係止爪２２ｂは、係止爪１１ａと係止される。被係止爪２２ｂは、本実施形態では、図１に示すように、押圧部２２ａの両脇に配置されるが、配置される場所は特に限定されない。被係止爪２２ｂは、本実施形態では、竪樋本体２１の家屋３側の上下方向の略全長に亘って二片設けられるが、その数は限定されない。被係止爪２２ｂは、図１に示すように、本実施形態では、平面視逆Ｌ字状となっているが、その形状は特に限定されない。被係止爪２２ｂの先端は、被係止爪２２ｂが押圧部２２ａに向かう方向とは逆方向に突出している。被係止爪２２ｂの先端と竪樋本体２１と間には、被係止溝が設けられる。
【００２５】
本実施形態では、押圧部２２ａと被係止爪２２ｂは別体で設けられるが、押圧部２２ａと被係止爪２２ｂは一体に設けられてもよい。
【００２６】
竪樋２を家屋３へ固定する方法について図１（ａ）乃至図１（ｃ）を用いて説明していく。
【００２７】
控具１の挿通孔１２ｃに固定具４を挿通し、固定具４が家屋３に打ち込まれると、控具１は家屋３に固定され、図１（ａ）の状態となる。そして、図１（ｂ）に示すように、竪樋２の押圧部２２ａと控具１の被押圧部１１ｂとを、当接させ、被押圧部１１ｂを竪樋２から家屋３に向かう方向へ押圧部２２ａを用いて押圧する。これにより、図１（ｂ）に示すように、被押圧部１１ｂと連結される係止爪１１ａが、回動軸１２ａを中心に基部１２の中心方向へと回動する。そして、係止爪１１ａの先端部は、図１（ｃ）に示すように、上述した被係止溝の中に嵌まり込んで、係止爪１１ａと被係止爪２２ｂとは係止される。以上のような方法で、竪樋２は控具１により家屋３に固定される。また、控具１は図２に示すように、家屋３の上下方向に複数設けられ、強風などで竪樋２が家屋３から外れないようにする。
【００２８】
以上のような構成の竪樋２と控具１を用いることで、竪樋２の押圧部２２ａが控具１の被押圧部１１ｂを押圧するだけで、竪樋２を家屋３に固定することできるので、竪樋２が家屋３に固定される工数を少なくすることができる。
【符号の説明】
【００２９】
１    控具
１１  係止部
１１ａ  係止爪
１１ｂ  被押圧部
１２  基部
１２ａ  回動軸
１２ｂ  固定溝
１２ｃ  挿通孔
２    竪樋
２１  竪樋本体
２２  被係止部
２２ａ  押圧部
２２ｂ  被係止爪
３    家屋
４    固定具
【図１】
2014198957.tif 000003
【図２】
2014198957.tif 000004